(57)【要約】      （修正有）【課題】ハンドルを装飾可能で、操作に力を入れ易くした鍵を提供する。【解決手段】ハンドルを装飾可能で、操作しやすい鍵２０であり、装飾ハンドル２２、鍵コア２４及びネジ２６を包含する。そのうち、装飾ハンドルに嵌め溝２２５とネジ孔２２３が設けられ、鍵コアの嵌合部が該嵌め溝中に嵌合され、並びに該ネジが該ネジ孔にねじ込まれて該装飾ハンドルが該鍵コアに固定され、鍵コアの嵌合部は少なくとも一つの係止角２４３を具え、該係止角が該装飾ハンドルの該嵌め溝の辺縁２２７に係止されることで、該鍵コアのぐらつきが防止される。【選択図】図３
0003158496.tif 000002
【実用新案登録請求の範囲】
【請求項１】
嵌め溝と該嵌め溝に連通するネジ孔を具えた装飾ハンドルと、
該嵌め溝に嵌合される嵌合部を具えた鍵コアと、
該ネジ孔にねじ込まれて該装飾ハンドルを該鍵コアにネジ止めするネジと、
を包含することを特徴とする鍵。
【請求項２】
請求項１記載の鍵において、該嵌合部は少なくとも一つの係止角を包含し、該係止角は該嵌め溝の辺縁に係止されることを特徴とする鍵。
【請求項３】
開口と嵌め溝とネジ孔が開設された収容空間が設けられた装飾ハンドルと、
ハンドル及び鍵コアが設けられると共に該開口より該収容空間に挿入され、該鍵コアが該嵌め溝を通過する鍵本体と、
該ネジ孔に挿入されて該装飾ハンドルを該鍵本体にネジ止めするネジと、
を包含したことを特徴とする鍵。
【請求項４】
係合孔を有する装飾ハンドルと、
嵌め溝及び該嵌め溝に連通するネジ孔を具えて該係合孔に係合可能な係合ブロックと、  該嵌め溝に嵌合可能な嵌合部を具えた鍵コアと、
該係合ブロックの該ネジ孔にねじ込まれて該係合ブロックを該鍵コアにネジ止めするネジと、
を包含したことを特徴とする鍵。
【考案の詳細な説明】
【技術分野】
【０００１】
本考案は一種の鍵に係り、特にハンドルを装飾可能で、操作に力を入れやすい鍵の構造に関する。
【背景技術】
【０００２】
一般に、鍵の主要な構造は図１に示すように、ハンドル１２と鍵コア１４を包含する。
【０００３】
そのうち、ハンドル１２は使用者の握持に供され、鍵コア１４は細部構造を有し、対応する錠の鍵穴に挿入され、使用者がハンドル１２を回すことで、解錠する。
【０００４】
周知の鍵１０は、そのハンドル１２及び鍵コア１４のほとんどが金属材料で、一体に形成されている。
【０００５】
該ハンドル１２は、通常、鍵コア１４と同じ厚さを有し、幅は僅かに広い。製造には便利であるが、握持感はあまりよくなく、回す操作も力を入れにくい。
【考案の概要】
【考案が解決しようとする課題】
【０００６】
本考案の主要な目的は、ハンドルを装飾可能で、操作に力をいれやすい鍵の構造を提供することにある。
【０００７】
本考案の次の目的は、装飾ハンドルの嵌め溝と鍵コアの嵌合部が嵌合され、並びにネジ止めされた鍵を提供することにある。
【０００８】
本考案のまた一つの目的は、鍵コアの嵌合部が少なくとも一つの係止角を有し、該係止角は該嵌め溝の辺縁に係止された鍵を提供することにある。
【０００９】
本考案のまた一つの目的は、その装飾ハンドルに収容空間が設けられ、並びに開口と嵌め溝が開設された該開口と嵌め溝より鍵本体に挿入された鍵を提供することにある。
【００１０】
本考案のまた一つの目的は、その装飾ハンドルに係合孔が設けられ、並びに該係合孔に係合ブロックが係合された鍵を提供することにある。
【００１１】
本考案のまた一つの目的は、その係合ブロックが嵌め溝で鍵コアの嵌合部と嵌合され、並びに該係合ブロックと鍵コアがネジ止めされた鍵を提供することにある。
【課題を解決するための手段】
【００１２】
上述の目的を達成するため、本考案の鍵は、嵌め溝と該嵌め溝に連通するネジ孔を具えた装飾ハンドルと、該嵌め溝に嵌合される嵌合部を具えた鍵コアと、該ネジ孔にねじ込まれて該装飾ハンドルを該鍵コアにネジ止めするネジと、を包含する。
【００１３】
本考案はさらに一種の鍵を提供し、それは、開口と嵌め溝とネジ孔が開設された収容空間が設けられた装飾ハンドルと、ハンドル及び鍵コアが設けられると共に該開口より該収容空間に挿入され、該鍵コアが該嵌め溝を通過する鍵本体と、該ネジ孔に挿入されて該装飾ハンドルを該鍵本体にネジ止めするネジと、を包含する。
【００１４】
本考案はさらにまた、一種の鍵を提供し、それは、係合孔を有する装飾ハンドルと、嵌め溝及び該嵌め溝に連通するネジ孔を具えて該係合孔に係合可能な係合ブロックと、該嵌め溝に嵌合可能な嵌合部を具えた鍵コアと、該係合ブロックの該ネジ孔にねじ込まれて該係合ブロックを該鍵コアにネジ止めするネジと、を包含する。
【考案の効果】
【００１５】
本考案の鍵は、装飾効果、遺失防止効果、個性アピールの効果を有するのみならず、装飾ハンドルが比較的大きな握持面積と体積を提供するため、握持の快適度を提供し、操作時に比較的大きなトルクを有し、楽に解錠できる効果を有する。
【図面の簡単な説明】
【００１６】
【図１】周知の鍵の構造表示図である。
【図２】本考案の実施例の立体組み合わせ図である。
【図３】図２の実施例の立体分解図である。
【図４】図２の実施例の断面図である。
【図５】本考案の別の実施例の立体組み合わせ図である。
【図６】図５の実施例の立体分解図である。
【図７】図５の実施例の断面図である。
【図８】本考案のさらに別の実施例の立体組み合わせ図である。
【図９】図８の実施例の立体分解図である。
【図１０】図８の実施例の断面図である。
【考案を実施するための形態】
【００１７】
図２から図４を参照されたい。これらはそれぞれ本考案の好ましい実施例の立体組み合わせ図、立体分解図及び断面図である。図示されるように、本考案の鍵２０は、装飾ハンドル２２及び鍵コア２４を包含する。
【００１８】
そのうち、該装飾ハンドル２２には嵌め溝２２５が設けられ、該鍵コア２４には該嵌め溝２２５中に嵌合可能な嵌合部２４１が設けられている。該嵌め溝２２５には該嵌め溝２２５に連通するネジ孔２２３が設けられ、ネジ２６が該ネジ孔２２３にねじ込まれて該鍵コア２４の嵌合部２４１に圧接されることで、該装飾ハンドル２２が該ネジ２６にネジ止めされる。
【００１９】
該嵌合部２４１にはさらに少なくとも一つの係止角２４３が設けられ、これは直角とされるのがよい。該鍵コア２４と該装飾ハンドル２２が嵌合される時に、該係止角２４３は該嵌め溝２２５の辺縁２２７に係止され、これにより鍵コア２４が嵌め溝２２５と嵌合部２４１の非緊密な結合によりぐらつくのを防止する。これにより、本考案の嵌め溝２２５の幅は嵌合部２４１の幅よりやや大きくでき、深さは嵌合部２４１の長さよりやや大きくでき、施工精密度に対する要求が比較的低い。
【００２０】
本考案の装飾ハンドル２２はさらに吊り孔２２１を有し得て、吊り孔２２１は使用者のつり下げに供されて、装飾或いは遺失防止の効果を提供する。該装飾ハンドル２２は各種造形に形成可能で、これにより使用者の個性をアピールできる。
【００２１】
図５から図７は本考案の別実施例の立体組み合わせ図、立体分解図及び断面図である。本実施例の鍵５０の主要な構造は、装飾ハンドル５２と鍵本体５４を包含する。
【００２２】
そのうち、該装飾ハンドル５２には収容空間５２７が設けられ、該収容空間５２７の一側に開口５２１が開設され、もう一側に嵌め溝５２９が設けられている。鍵本体５４はすなわち周知の鍵であり、ハンドル５４１と鍵コア５４３を有する。該鍵本体５４は開口５２１より装飾ハンドル５２中に挿入される。鍵本体５４のハンドル５４１は収容空間５２７中に置かれ、鍵コア５４３は嵌め溝５２９を通過して外部に延伸される。
【００２３】
装飾ハンドル５２にはさらにネジ孔５２３が設けられ、該ネジ孔５２３は該収容空間５２７或いは嵌め溝５２９に連通する。ネジ５６が該ネジ孔５２３にねじ込まれた後、鍵本体５４に圧接されて、装飾ハンドル５２を鍵本体５４にネジ止めする。
【００２４】
該鍵本体５４のハンドル５４１と鍵コア５４３の結合部分には係止角５４５が設けられ、該係止角５４５は直角とされるのがよい。鍵本体５４が収容空間５２７に挿入された後、該係止角５４５が該嵌め溝辺縁５２５に係止されることにより、鍵本体５４の嵌め溝５２９と鍵コア５４３の非緊密な結合によるぐらつきを防止できる。これにより、本実施例の嵌め溝５２９の幅は鍵コア５４３の幅よりやや大きく設けることができ、開口５２１の幅はハンドル５４１の幅よりやや大きく設けることができ、施工精密度の要求を低くすることができる。
【００２５】
本実施例の装飾ハンドル５２にも吊り孔（図示せず）を設けてもよく、使用者がつり下げるのに利用することで、装飾或いは遺失防止の効果を得られる。該装飾ハンドル５２もまた各種造形に形成可能で、それにより使用者の個性をアピールすることができる。
【００２６】
図８から図１０は本考案のまた別の実施例の立体組み合わせ図、立体分解図及び断面図である。図示されるように、本実施例の鍵８０は、装飾ハンドル８２、係合ブロック８４及び鍵コア８６を包含する。
【００２７】
そのうち、該装飾ハンドル８２には係合孔８２５が設けられ、係合ブロック８４には嵌め溝８４１が設けられ、鍵コア８６には嵌合部８６１が設けられて、該嵌め溝８４１中に嵌合可能である。該係合ブロック８４には該嵌め溝８４１に連通するネジ孔８４３が設けられて、ネジ８８が該ネジ孔８４３にねじ込まれて鍵コア８６の嵌合部８６１に圧接されることで、該係合ブロック８４が該鍵コア８６にネジ止めされる。
【００２８】
該嵌合部８６１にはさらに少なくとも一つの係止角８６３が設けられ、該係止角８６３は直角とされるのがよい。鍵コア８６と係合ブロック８４が嵌合される時に該係止角８６３は嵌め溝辺縁８４５に係止されて、鍵コア８６の、嵌め溝８４１と嵌合部８６１の非緊密な結合によるぐらつきを防止する。これにより、本考案の嵌め溝８４１の幅は嵌合部８６１の幅よりやや大きくでき、深さは嵌合部８６１の長さよりやや大きくでき、施工精密度に対する要求を低くできる。
【００２９】
鍵コア８６と係合ブロック８４の結合ネジ止め後、該係合ブロック８４は該装飾ハンドル８２の係合孔８２５中に係合され、こうして、本実施例の鍵８０の組立を完成する。該係合ブロック８４は円柱体或いは錐状体とされ、該係合孔８２５内に係合されることで緊密に結合される。
【００３０】
本実施例の装飾ハンドル８２にはさらに吊り孔（図示せず）を設けてもよく、使用者がつり下げるのに利用することで、装飾或いは遺失防止の効果を得られる。該装飾ハンドル８２もまた各種造形に形成可能で、それにより使用者の個性をアピールすることができる。
【００３１】
以上は本考案の好ましい実施例の説明であり、以上の実施例の説明及び図面に基づきなし得る細部の修飾或いは同等の構造の置換は、いずれも本考案の権利の請求範囲に属するものとする。
【符号の説明】
【００３２】
１０  鍵            １２  ハンドル
１４  鍵コア
２０  鍵            ２２  装飾ハンドル
２２１  吊り孔      ２２３  ネジ孔
２２５  嵌め溝      ２２７  辺縁
２４  鍵コア        ２４１  嵌合部
２４３  係止角      ２６  ネジ
５０  鍵            ５２  装飾ハンドル
５２１  開口        ５２３  ネジ孔
５２５  辺縁        ５２７  収容空間
５２９  嵌め溝      ５４  鍵本体
５４１  ハンドル    ５４３  鍵コア
５４５  係止角      ５６  ネジ
８０  鍵            ８２  装飾ハンドル
８２５  係合孔      ８４  係合ブロック
８４１  嵌め溝      ８４３  ネジ孔
８４５  辺縁        ８６  鍵コア
８６１  嵌合部      ８６３  係止角
８８  ネジ
【図１】
0003158496.tif 000003
【図２】
0003158496.tif 000004
【図３】
0003158496.tif 000005
【図４】
0003158496.tif 000006
【図５】
0003158496.tif 000007
【図６】
0003158496.tif 000008
【図７】
0003158496.tif 000009
【図８】
0003158496.tif 000010
【図９】
0003158496.tif 000011
【図１０】
0003158496.tif 000012